(57)【要約】【課題】  作業台の幅が比較的狭い場合でも作業台を安定して支持できるようにすることにある。【解決手段】  壁面に足掛け金物が存在する場所で作業する際に使用する足場であって、足掛け金物に取り付け可能な取り付けフック２と、支柱３と、作業台ステップ６と、２本のサポート脚部７とを備えている。支柱３は、取り付けフック２が装着されており、取り付けフック２が足掛け金物に取り付けられた際に壁面に沿って延びる。作業台ステップ６は、支柱３の取り付けフック２が装着された側と逆側に支柱３に対して略直交する方向に延びて設けられている。２本のサポート脚部７は、支柱３を挟んで作業台ステップ６と逆方向に延びて設けられ、それぞれの先端が作業台ステップ６の幅よりも広い間隔で壁面に接触する。【選択図】      図１
2006046057.tif 000002
【特許請求の範囲】
【請求項１】
壁面に足掛け金物が存在する場所で作業する際に使用する足場であって、
前記足掛け金物に取り付け可能なフックと、
前記フックが装着されており、前記フックが前記足掛け金物に取り付けられた際に前記壁面に沿って延びる支柱と、
前記支柱の前記フックが装着された側と逆側に前記支柱に対して略直交する方向に延びて設けられた作業台と、
前記支柱を挟んで前記作業台と逆方向に延びて設けられ、それぞれの先端が前記作業台の幅よりも広い間隔で前記壁面に接触する２本のサポート脚とを備えた、
簡易型作業足場。
【請求項２】
前記フックは前記支柱上において上下方向の位置の調整が可能である、
請求項１に記載の簡易型作業足場。
【請求項３】
前記作業台は伸縮自在である、
請求項１または２に記載の簡易型作業足場。
【請求項４】
前記２本のサポート脚は前記支柱から離れるに従ってそれぞれの先端が互いに離れるように広がっている、
請求項１から３のいずれかに記載の簡易型作業足場。
【請求項５】
前記サポート脚はそれぞれ伸縮自在である、
請求項１から４のいずれかに記載の簡易型作業足場。
【請求項６】
前記２本のサポート脚は前記壁面と接触する先端部に弾性部材を有している、
請求項１から５までのいずれかに記載の簡易型作業足場。
【請求項７】
前記足掛け金物はマンホールの壁面に取り付けられた金物である、
請求項１から６までのいずれかに記載の簡易型作業足場。
【請求項８】
前記支柱と前記作業台とを結合して補強する補強部材をさらに備えた、
請求項１から７までのいずれかに記載の簡易型作業足場。
【発明の詳細な説明】
【技術分野】
【０００１】
本発明は、簡易型作業足場、特に、マンホール内で足掛け金物に取り付けることで使用できる簡易型作業足場に関する。
【背景技術】
【０００２】
マンホール内で作業を行う場合には、マンホールの壁面に配置された足掛け金物に簡易型作業足場を取り付けて作業を行う。この簡易型作業足場として、支柱フレームの一端にフックが取り付けられ他端には作業台が取り付けられたものが知られている（例えば、特許文献１参照。）。そして、この作業台にはマンホールなどの側壁に押しつけられる支持脚が設けられている。このような簡易型作業足場は、マンホール内の足掛け金物にフックを引っかけ、作業台の支持脚を側壁に押しつけることで、作業台がほぼ水平な状態となる。従って、この作業台を足場として作業者は作業が可能となる。
【特許文献１】登録実用新案第３０１７４８１号公報
【発明の開示】
【発明が解決しようとする課題】
【０００３】
従来の簡易型作業足場において、作業台に設けられた支持脚は、作業台の幅方向両端をそのまま延長して形成されている。このような従来の足場では、支持脚による支持幅が作業台の幅以上にとれないため、不安定な状態となるおそれがある。
【０００４】
本発明の課題は、作業台の幅が比較的狭い場合でも作業台を安定して支持できるようにすることにある。
【課題を解決するための手段】
【０００５】
請求項１に係る簡易型作業足場は、壁面に足掛け金物が存在する場所で作業する際に使用する足場であって、足掛け金物に取り付け可能なフックと、支柱と、作業台と、２本のサポート脚とを備えている。支柱は、フックが装着されており、フックが足掛け金物に取り付けられた際に壁面に沿って延びる。作業台は、支柱のフックが装着された側と逆側に支柱に対して略直交する方向に延びて設けられている。２本のサポート脚は、支柱を挟んで作業台と逆方向に延びて設けられ、それぞれの先端が作業台の幅よりも広い間隔で壁面に接触する。
【０００６】
この簡易型作業足場を例えばマンホール内で使用する場合は、マンホール内の壁面の足掛け金物にフックを取り付け、２本のサポート脚の先端を壁面に押しつけることで作業台が水平に支持される。
【０００７】
ここでは、２本のサポート脚の先端が作業台の幅よりも広い間隔で壁面に接触するため、作業台の幅が狭い場合であっても全体が安定して支持される。
【０００８】
請求項２に係る簡易型作業足場は、請求項１に記載の簡易型作業足場であって、フックは支柱上において上下方向の位置の調整が可能である。
【０００９】
この簡易型作業足場では、フックの位置を上下に調整することによってフックと作業台との間の距離を変化させることができ、作業しやすい位置に作業台をセットすることができる。
【００１０】
請求項３に係る簡易型作業足場は、請求項１または２に記載の簡易型作業足場であって、作業台は伸縮自在である。
【００１１】
ここでは、例えばマンホールにおいては、内部の広さ（内部の径）が一様ではなく、種々の規格が存在する。したがって、作業台が固定された長さであると、種々の規格のマンホールに対応できない。
【００１２】
そこで、この請求項に係る発明では、作業台を伸縮自在とし、使用する場所に応じてその長さを適宜変更できるようにしている。このため、用途範囲が広くなる。
【００１３】
請求項４に係る簡易型作業足場は、請求項１から３のいずれかに記載の簡易型作業足場であって、２本のサポート脚は支柱から離れるにしたがってそれぞれの先端が互いに離れるように先端が伸びている。
【００１４】
請求項５に係る簡易型作業足場は、請求項１から４のいずれかに記載の簡易型作業足場であって、サポート脚はそれぞれ伸縮自在である。
【００１５】
この簡易型作業足場では、それぞれのサポート脚が伸縮自在であるために、壁面の形状に応じてサポート脚の長さを調整でき、サポート脚を壁面に確実に接触させることができる。
【００１６】
請求項６に係る簡易型作業足場は、請求項１から５のいずれかに記載の簡易型作業足場であって、サポート脚は壁面と接触する先端部に弾性部材を有している。
【００１７】
ここでは、サポート脚の先端に弾性部材が装着されているために、壁面とサポート脚との接触部が安定する。
【００１８】
請求項７に係る簡易型作業足場は、請求項１から６のいずれかに記載の簡易型作業足場であって、足掛け金物はマンホールの壁面に取り付けられた金物である。
【発明の効果】
【００１９】
本発明では、作業台の幅の広狭に関わらず簡易型作業足場を安定させることができる。
【発明を実施するための最良の形態】
【００２０】
［第１実施形態］
以下、本発明の第１実施形態について図面を参照して説明する。図１は本発明の第１実施形態における簡易型作業足場１の側面図であり、図２はその平面図である。この簡易型作業足場１は、壁面に足掛け金物が存在するマンホール内のような場所で作業する際に使用する足場であり、取り付けフック２と、脱落防止チェーン４と、支柱３と、キャリーハンドル５と、作業台ステップ６と、サポート脚部７とを有する。
【００２１】
取り付けフック２は、図１に示すように、壁面に存在する足掛け金物（図９参照）に取り付けられるものであって、支柱３に装着されている。この取り付けフック２は、平板を逆Ｊ字状に折り曲げて成形したものであって、平板状の取り付け部２ｂと、湾曲部２ｃと、平板状の先端部２ｄとを有している。そして、図５に示すように、取り付け部２ｂには２つのねじ２ａが垂直方向に並んで形成されている。さらに、先端部２ｄには脱落防止チェーン４が装着されている。
【００２２】
支柱３は、取り付けフック２が装着されており、取り付けフック２が足掛け金物に取り付けられた際に壁面に沿って延びる部材であって、板状の部材である。また、支柱３は、下端には作業台ステップ６が配置されており、図５に示すように、垂直方向に並んで６つの孔３ａが設けられている。この孔３ａは、ねじ２ａとフック位置調整ねじ１０とによって取り付けフック２をこの支柱３に固定するために用いられる。さらに、支柱３の上端にはキャリーハンドル５が固定されている。キャリーハンドル５は、簡易型作業足場１を持ち運ぶ際に持つための持ち手部分であって、棒状の部材をコの字状に折り曲げて形成される。
【００２３】
脱落防止チェーン４は、図１及び図５に示すように、鎖状に形成された部材である。脱落防止チェーン４の一部にはカラビナ４ａが設けられている。脱落防止チェーン４は、支柱３の１番下に形成された孔３ａに固定されているチェーン吊り下げ金具８に固定することで、簡易型作業足場１が足掛け金物から脱落しないようにするためのものである。また、脱落防止チェーン４は、チェーン吊り下げ金具８に接続されていない方の端部を持って簡易型作業足場１を吊りおろしたり吊り上げたりする際にも使用できる。
【００２４】
作業台ステップ６は、支柱３の取り付けフック２が装着された側と逆側に支柱３に対して略直交する方向に延びて設けられた部材であって、板状の部材である。この作業台ステップ６の上面には、図２に示すように、滑り止めのための凹凸６ａが形成されている。
【００２５】
サポート脚部７は、図４に示すように、作業台ステップ６に支柱３を挟んで作業台ステップ６と逆方向に延びて設けられ、それぞれの先端が作業台ステップ６の幅よりも広い間隔で壁面に接触する部材であって、作業台ステップ６と同一平面上に作業台ステップ６の壁面側の端部に２本固定されている。このサポート脚部７は、サポート脚固定金具７ａとサポート脚７ｂとを有する。サポート脚固定金具７ａは、サポート脚７ｂを固定するための部材であって、壁面側の端部間の距離は作業台ステップ６の幅よりも広くなっている。従って、サポート脚７ｂが最短の時であってもサポート脚７ｂの壁面側端部の間の距離は作業台ステップ６の幅よりも広くなっている。また、サポート脚固定金具７ａは平板の両側部を折り曲げて形成されており平板部分には孔７ｃが４つ設けられている。サポート脚７ｂは、壁面と接触し作業台ステップ６を支持するための部分であって、断面をコの字状に折り曲げて形成されている。サポート脚７ｂの平板部分にはサポート脚固定ねじ７ｄが設けられ、このサポート脚固定ねじ７ｄをサポート脚固定金具７ａの孔７ｃに挿入することによってサポート脚固定金具７ａにサポート脚７ｂが固定される。また、サポート脚７ｂの壁面側端部には安定ゴム９が固定されている。安定ゴム９はサポート脚７ｂの端部が確実に壁面に接触するようにするためのものであって、安定ゴム９はねじによってサポート脚７ｂに取り付けられている。
【００２６】
簡易型作業足場１を使用する際には、図７，図９に示すように、サポート脚部７の長さの調節と取り付けフック２の位置の調節とを行った後、壁面に配置されている足掛け金物に取り付けフック２を取り付け、サポート脚７ｂを壁面に接触させる。その後、脱落防止チェーン４のカラビナ４ａをチェーン吊り下げ金具８に固定する。この場合には、簡易型作業足場１が脱落しにくくすることができる。このようにして簡易型作業足場１を壁面の金物に取り付けた後、脱落防止チェーン４をチェーン吊り下げ金具８に固定し、作業台ステップ６上で作業を行う。この場合に、サポート脚７ｂの壁面側端部の間の距離は作業台ステップ６の幅よりも長くなっていることから、サポート脚７ｂの壁面側端部の間の距離が作業台ステップ６の幅と同じ、または短くなっている場合よりも作業台ステップ６が安定する。さらに、図７，図８に示すように、サポート脚部７の長さが調節できるために様々な形状のマンホールで使用することができる。
【００２７】
取り付けフック２の高さ位置を変える場合は、取り付けたい位置の孔３ａに取り付けフック２のねじ２ａを挿入し取り付けフック位置調整ねじ１０をねじ２ａにはめ込む。このとき、支柱３上の取り付けフック２の高さ位置を変えることができる。従って、取り付けフック２と作業台ステップ６との間の距離を変化させることができ、垂直方向下側にさらに足掛け金物が存在する場所であってもその足掛け金物が取り付けの妨げとはならない。この場合、図１０にしめすように、垂直方向下側にさらに足掛け金物が存在する場所でも取り付けることができ作業が行いやすくなる。
【００２８】
サポート脚部７の長さを調整する際には、図４に示すように、調整したい場所にある孔７ｃにサポート脚７ｂのサポート脚固定ねじ７ｄを挿入することでサポート脚固定金具７ａにサポート脚７ｂを固定する。
【００２９】
［第２実施形態］
以下に、本発明の第２実施形態について図面を参照して説明する。図１１は第２実施形態における簡易型作業足場２１の側面図である。図１２は第２実施形態における平面図である。この簡易型作業足場２１は、作業台ステップ６以外の部材については第１実施形態とほぼ同様の構成となっているため、作業台２６について詳細に説明する。
【００３０】
簡易型作業足場２１は、取り付けフック２２と、脱落防止チェーン２４と、支柱２３と、キャリーハンドル２５と、作業台２６と、サポート脚部２７とを有する。支柱２３の一端にはキャリーハンドル２５が固定され、他端には作業台２６とサポート脚部２７が配置されている。また、支柱２３上に取り付けフック２２が装着可能となっており取り付けフック２２には脱落防止チェーン２４が装着されている。
【００３１】
作業台２６は、支柱２３の取り付けフック２２が装着された側と逆側に支柱２３に対して略直交する方向に延びて設けられた部材であって、１方向に伸びた作業台ステップ２６ａと伸縮用作業台ステップ２６ｂとを有する。作業台ステップ２６ａは、ステップ部２６ｃと、ステップ部２６ｃ周囲を構成する外周部２６ｄと、折り返し部２６ｅとを有している。図１３に示すように、ステップ部２６ｃは１方向に伸びた板状の部材であって上面には滑り止めのための凹凸２６ｆが形成されている。外周部２６ｄはステップ部２６ｃの支柱２３が配置されている側面以外の側部から垂直下方向に形成された板状の部分であって、ステップ台２６ｃが伸びる方向と同じ方向に伸びる外周部２６ｄはステップ台２６ｃが伸びる方向と同じ方向に沿って１０個の孔２６ｇが形成されている。孔２６ｇには伸縮用作業台ステップ固定ねじ２６ｌが配置されている。折り返し部２６ｅは、図１４に示すように、外周部２６ｄから内側に折り曲げられた部分である。伸縮用作業台ステップ２６ｂは壁面から遠い場所で作業を行う際に使用する部材であって、伸縮用ステップ部２６ｈと、伸縮用ステップ部２６ｈの周囲を構成する伸縮用外周部２６ｉとを有する。伸縮用ステップ部２６ｈは板状の部材であって表面には滑り止めの凹凸２６ｊが設けられている。伸縮用外周部２６ｉは支柱２３が配置されている側以外の側部が垂直方向下側に折り曲げられた部分である。伸縮用外周部２６ｉは伸縮用ステップ台２６ｈが伸びる方向と同じ方向に沿って１０個の孔２６ｋが形成されている。
【００３２】
第２実施形態においても第１実施形態と同様に支柱２３に取り付けフック２２が装着可能であり、サポート脚部２７の長さを調節することもできる。また、脱落防止チェーン２４の使用方法や簡易型作業足場２１の使用方法も第１実施形態と同様である。
【００３３】
作業台２６の長さを調整する際には、伸縮用作業台ステップ２６ｂを作業台ステップ２６ａからスライドさせ、作業台ステップ２６ａの外周部２６ｄの孔２６ｇの一部と伸縮用作業台ステップ２６ｂの伸縮用外周部２６ｉの孔２６ｋの一部とを重ね合わせ３本の伸縮用作業台ステップ固定ねじ２６ｌによって両方を結合する。このとき、図１５に示すように、径が大きなマンホール内であっても使用できる。
【００３４】
ここでは、マンホール内で簡易型作業足場１、２１を使用する場合について説明したが、これらの簡易型作業足場１、２１は、壁面に足掛け金物が存在する場所なら何処でも使用することができる。
【００３５】
［第３実施形態］
以下に、本発明の第３実施形態について図面を参照して説明する。図１６は第３実施形態における簡易型作業足場３１の側面図である。この簡易型作業足場３１は、支柱３３と作業台ステップ３６とを結合して補強する補強部材３９以外の部材については第１実施形態とほぼ同様の構成となっているため、補強部材３９について詳細に説明する。
【００３６】
簡易型作業足場３１は、取り付けフック３２と、脱落防止チェーン３４と、支柱３３と、キャリーハンドル３５と、作業台ステップ３６と、サポート脚部３７とを有する。支柱３３の一端にはキャリーハンドル３５が固定され、他端には作業台ステップ３６とサポート脚部３７が配置されている。また、支柱３３上に取り付けフック３２が装着可能となっており取り付けフック３２には脱落防止チェーン３４が装着されている。
【００３７】
補強部材３９は、支柱３３と作業台ステップ３６とを結合して補強するための部材であって、板状の部材である。この補強部材３９の一端は支柱上に回転自在に固定され、他端は作業台ステップに連結可能であり、図１７に示す待避位置と、図１６に示すセット位置とを採りうる。
【００３８】
作業台ステップ３６に大きい荷重がかかる場合以外の場合には、図１７に示すように補強部材３９の他端を支柱３３上に固定し、第１実施形態と同様の使用方法で使用することができる。一方、作業台ステップ３６に大きい荷重がかかる場合には、図１６に示すように補強部材３９の他端を作業台ステップ３６上に固定する。このとき、作業台ステップ３６は支柱３３と補強部材３９とによって支持されるため、補強部材３９の他端が支柱上にある場合に比べて強度が高くなり簡易型作業足場３１が壊れにくくなる。
【００３９】
また、図１８に示すように、他の実施形態として第２実施形態のように作業台４６の長さを調整できるようにした簡易作業型足場４１に支柱４３と作業台４６とを結合して補強する補強部材４９を設けることも考えられる。
【図面の簡単な説明】
【００４０】
【図１】本発明の１実施形態における簡易型作業足場１の側面図。
【図２】本発明の１実施形態における簡易型作業足場１の平面図。
【図３】本発明の１実施形態における簡易型作業足場１を垂直方向下側から見た図。
【図４】本発明の１実施形態における簡易型作業足場１の垂直方向下側から見た図。
【図５】本発明の１実施形態における簡易型作業足場１の正面図。
【図６】本発明の１実施形態における簡易型作業足場１の背面図。
【図７】本発明の１実施形態における簡易型作業足場１をマンホールに装着した際の図。
【図８】本発明の１実施形態における簡易型作業足場１を非円形断面のマンホールに装着した際の図。
【図９】本発明の１実施形態における簡易型作業足場１実際に使用しているときの図。
【図１０】垂直方向下側に足掛け金物が存在する場所で簡易型作業足場１を使用している状態を示す図。
【図１１】本発明の２実施形態における簡易型作業足場２１の側面図。
【図１２】本発明の２実施形態における簡易型作業足場２１の平面図。
【図１３】本発明の２実施形態における簡易型作業足場２１を垂直方向下側から見た図。
【図１４】本発明の２実施形態における簡易型作業足場２１の垂直方向下側から見た図。
【図１５】本発明の２実施形態における簡易型作業足場２１を作業台２６の長さを調整してマンホールに装着した際の図。
【図１６】第３実施形態における簡易型作業足場３１の側面図。
【図１７】第３実施形態における簡易型作業足場３１の側面図。
【図１８】他の実施形態における簡易型作業足場４１の側面図。
【符号の説明】
【００４１】
１  簡易型作業足場
２  取り付けフック
３  支柱
４  脱落防止チェーン
５  キャリーハンドル
６  作業台ステップ
７  サポート脚部
８  チェーン吊り下げ金具
９  安全ゴム
１０  取り付けフック位置調整ねじ
２１  簡易型作業足場
２２  取り付けフック
２３  支柱
２４  脱落防止チェーン
２５  キャリーハンドル
２６  作業台ステップ
２７  サポート脚部
２８  チェーン吊り下げ金具
２９  安全ゴム
３０  取り付けフック位置調整ねじ
【図１】
2006046057.tif 000003
【図２】
2006046057.tif 000004
【図３】
2006046057.tif 000005
【図４】
2006046057.tif 000006
【図５】
2006046057.tif 000007
【図６】
2006046057.tif 000008
【図７】
2006046057.tif 000009
【図８】
2006046057.tif 000010
【図９】
2006046057.tif 000011
【図１０】
2006046057.tif 000012
【図１１】
2006046057.tif 000013
【図１２】
2006046057.tif 000014
【図１３】
2006046057.tif 000015
【図１４】
2006046057.tif 000016
【図１５】
2006046057.tif 000017
【図１６】
2006046057.tif 000018
【図１７】
2006046057.tif 000019
【図１８】
2006046057.tif 000020
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
壁面に足掛け金物が存在する場所で作業する際に使用する足場であって、
前記足掛け金物に取り付け可能なフックと、
前記フックが装着されており、前記フックが前記足掛け金物に取り付けられた際に前記壁面に沿って延びる支柱と、
前記支柱の前記フックが装着された側と逆側に前記支柱に対して略直交する方向に延びて設けられた作業台と、
前記作業台において前記支柱が接続されている部分から前記支柱を挟んで前記作業台と逆側に向けて広がるように延びて設けられ、それぞれの先端が前記作業台の幅よりも広い間隔で前記壁面に接触する２本のサポート脚とを備えた、
簡易型作業足場。
【請求項２】
前記フックは前記支柱上において上下方向の位置の調整が可能である、
請求項１に記載の簡易型作業足場。
【請求項３】
前記作業台は伸縮自在である、
請求項１または２に記載の簡易型作業足場。
【請求項４】
前記２本のサポート脚は前記支柱から離れるに従ってそれぞれの先端が互いに離れるように広がっている、
請求項１から３のいずれかに記載の簡易型作業足場。
【請求項５】
前記サポート脚はそれぞれ伸縮自在である、
請求項１から４のいずれかに記載の簡易型作業足場。
【請求項６】
前記２本のサポート脚は前記壁面と接触する先端部に弾性部材を有している、
請求項１から５までのいずれかに記載の簡易型作業足場。
【請求項７】
前記足掛け金物はマンホールの壁面に取り付けられた金物である、
請求項１から６までのいずれかに記載の簡易型作業足場。
【請求項８】
前記支柱と前記作業台とを結合して補強する補強部材をさらに備えた、
請求項１から７までのいずれかに記載の簡易型作業足場。
【手続補正２】
【補正対象書類名】明細書
【補正対象項目名】全文
【補正方法】変更
【補正の内容】
【発明の詳細な説明】
【技術分野】
【０００１】
本発明は、簡易型作業足場、特に、マンホール内で足掛け金物に取り付けることで使用できる簡易型作業足場に関する。
【背景技術】
【０００２】
マンホール内で作業を行う場合には、マンホールの壁面に配置された足掛け金物に簡易型作業足場を取り付けて作業を行う。この簡易型作業足場として、支柱フレームの一端にフックが取り付けられ他端には作業台が取り付けられたものが知られている（例えば、特許文献１参照。）。そして、この作業台にはマンホールなどの側壁に押しつけられる支持脚が設けられている。このような簡易型作業足場は、マンホール内の足掛け金物にフックを引っかけ、作業台の支持脚を側壁に押しつけることで、作業台がほぼ水平な状態となる。従って、この作業台を足場として作業者は作業が可能となる。
【特許文献１】登録実用新案第３０１７４８１号公報
【発明の開示】
【発明が解決しようとする課題】
【０００３】
従来の簡易型作業足場において、作業台に設けられた支持脚は、作業台の幅方向両端をそのまま延長して形成されている。このような従来の足場では、支持脚による支持幅が作業台の幅以上にとれないため、不安定な状態となるおそれがある。
【０００４】
本発明の課題は、作業台の幅が比較的狭い場合でも作業台を安定して支持できるようにすることにある。
【課題を解決するための手段】
【０００５】
請求項１に係る簡易型作業足場は、壁面に足掛け金物が存在する場所で作業する際に使用する足場であって、足掛け金物に取り付け可能なフックと、支柱と、作業台と、２本のサポート脚とを備えている。支柱は、フックが装着されており、フックが足掛け金物に取り付けられた際に壁面に沿って延びる。作業台は、支柱のフックが装着された側と逆側に支柱に対して略直交する方向に延びて設けられた。２本のサポート脚は、作業台において支柱が接続されている部分から支柱を挟んで作業台と逆側に向けて広がるように延びて設けられ、それぞれの先端が作業台の幅よりも広い間隔で壁面に接触する。この簡易型作業足場を例えばマンホール内で使用する場合は、マンホール内の壁面の足掛け金物にフックを取り付け、２本のサポート脚の先端を壁面に押しつけることで作業台が水平に支持される。
【０００６】
ここでは、２本のサポート脚の先端が作業台の幅よりも広い間隔で壁面に接触するため、作業台の幅が狭い場合であっても全体が安定して支持される。
【０００７】
請求項２に係る簡易型作業足場は、請求項１に記載の簡易型作業足場であって、フックは支柱上において上下方向の位置の調整が可能である。
【０００８】
この簡易型作業足場では、フックの位置を上下に調整することによってフックと作業台との間の距離を変化させることができ、作業しやすい位置に作業台をセットすることができる。
【０００９】
請求項３に係る簡易型作業足場は、請求項１または２に記載の簡易型作業足場であって、作業台は伸縮自在である。
【００１０】
ここでは、例えばマンホールにおいては、内部の広さ（内部の径）が一様ではなく、種々の規格が存在する。したがって、作業台が固定された長さであると、種々の規格のマンホールに対応できない。
【００１１】
そこで、この請求項に係る発明では、作業台を伸縮自在とし、使用する場所に応じてその長さを適宜変更できるようにしている。このため、用途範囲が広くなる。
【００１２】
請求項４に係る簡易型作業足場は、請求項１から３のいずれかに記載の簡易型作業足場であって、２本のサポート脚は支柱から離れるにしたがってそれぞれの先端が互いに離れるように先端が伸びている。
【００１３】
請求項５に係る簡易型作業足場は、請求項１から４のいずれかに記載の簡易型作業足場であって、サポート脚はそれぞれ伸縮自在である。
【００１４】
この簡易型作業足場では、それぞれのサポート脚が伸縮自在であるために、壁面の形状に応じてサポート脚の長さを調整でき、サポート脚を壁面に確実に接触させることができる。
【００１５】
請求項６に係る簡易型作業足場は、請求項１から５のいずれかに記載の簡易型作業足場であって、サポート脚は壁面と接触する先端部に弾性部材を有している。
【００１６】
ここでは、サポート脚の先端に弾性部材が装着されているために、壁面とサポート脚との接触部が安定する。
【００１７】
請求項７に係る簡易型作業足場は、請求項１から６のいずれかに記載の簡易型作業足場であって、足掛け金物はマンホールの壁面に取り付けられた金物である。
【００１８】
請求項８に係る簡易型作業足場は、請求項１から７のいずれかに記載の簡易型作業足場であって、支柱と作業台とを結合して補強する補強部材をさらに備えている。
【発明の効果】
【００１９】
本発明では、作業台の幅の広狭に関わらず簡易型作業足場を安定させることができる。
【発明を実施するための最良の形態】
【００２０】
［第１実施形態］
以下、本発明の第１実施形態について図面を参照して説明する。図１は本発明の第１実施形態における簡易型作業足場１の側面図であり、図２はその平面図である。この簡易型作業足場１は、壁面に足掛け金物が存在するマンホール内のような場所で作業する際に使用する足場であり、取り付けフック２と、脱落防止チェーン４と、支柱３と、キャリーハンドル５と、作業台ステップ６と、サポート脚部７とを有する。
【００２１】
取り付けフック２は、図１に示すように、壁面に存在する足掛け金物（図９参照）に取り付けられるものであって、支柱３に装着されている。この取り付けフック２は、平板を逆Ｊ字状に折り曲げて成形したものであって、平板状の取り付け部２ｂと、湾曲部２ｃと、平板状の先端部２ｄとを有している。そして、図５に示すように、取り付け部２ｂには２つのねじ２ａが垂直方向に並んで形成されている。さらに、先端部２ｄには脱落防止チェーン４が装着されている。
【００２２】
支柱３は、取り付けフック２が装着されており、取り付けフック２が足掛け金物に取り付けられた際に壁面に沿って延びる部材であって、板状の部材である。また、支柱３は、下端には作業台ステップ６が配置されており、図５に示すように、垂直方向に並んで６つの孔３ａが設けられている。この孔３ａは、ねじ２ａと取り付けフック位置調整ねじ１０とによって取り付けフック２をこの支柱３に固定するために用いられる。さらに、支柱３の上端にはキャリーハンドル５が固定されている。キャリーハンドル５は、簡易型作業足場１を持ち運ぶ際に持つための持ち手部分であって、棒状の部材をコの字状に折り曲げて形成される。
【００２３】
脱落防止チェーン４は、図１及び図５に示すように、鎖状に形成された部材である。脱落防止チェーン４の一部にはカラビナ４ａが設けられている。脱落防止チェーン４は、支柱３の１番下に形成された孔３ａに固定されているチェーン吊り下げ金具８に固定することで、簡易型作業足場１が足掛け金物から脱落しないようにするためのものである。また、脱落防止チェーン４は、チェーン吊り下げ金具８に接続されていない方の端部を持って簡易型作業足場１を吊りおろしたり吊り上げたりする際にも使用できる。
【００２４】
作業台ステップ６は、支柱３の取り付けフック２が装着された側と逆側に支柱３に対して略直交する方向に延びて設けられた部材であって、板状の部材である。この作業台ステップ６の上面には、図２に示すように、滑り止めのための凹凸６ａが形成されている。
【００２５】
サポート脚部７は、図４に示すように、作業台ステップ６に支柱３を挟んで作業台ステップ６と逆方向に延びて設けられ、それぞれの先端が作業台ステップ６の幅よりも広い間隔で壁面に接触する部材であって、作業台ステップ６と同一平面上に作業台ステップ６の壁面側の端部に２本固定されている。このサポート脚部７は、サポート脚固定金具７ａとサポート脚７ｂとを有する。サポート脚固定金具７ａは、サポート脚７ｂを固定するための部材であって、壁面側の端部間の距離は作業台ステップ６の幅よりも広くなっている。従って、サポート脚７ｂが最短の時であってもサポート脚７ｂの壁面側端部の間の距離は作業台ステップ６の幅よりも広くなっている。また、サポート脚固定金具７ａは平板の両側部を折り曲げて形成されており平板部分には孔７ｃが４つ設けられている。サポート脚７ｂは、壁面と接触し作業台ステップ６を支持するための部分であって、断面をコの字状に折り曲げて形成されている。サポート脚７ｂの平板部分にはサポート脚固定ねじ７ｄが設けられ、このサポート脚固定ねじ７ｄをサポート脚固定金具７ａの孔７ｃに挿入することによってサポート脚固定金具７ａにサポート脚７ｂが固定される。また、サポート脚７ｂの壁面側端部には安定ゴム９が固定されている。安定ゴム９はサポート脚７ｂの端部が確実に壁面に接触するようにするためのものであって、安定ゴム９はねじによってサポート脚７ｂに取り付けられている。
【００２６】
簡易型作業足場１を使用する際には、図７，図９に示すように、サポート脚部７の長さの調節と取り付けフック２の位置の調節とを行った後、壁面に配置されている足掛け金物に取り付けフック２を取り付け、サポート脚７ｂを壁面に接触させる。その後、脱落防止チェーン４のカラビナ４ａをチェーン吊り下げ金具８に固定する。この場合には、簡易型作業足場１が脱落しにくくすることができる。このようにして簡易型作業足場１を壁面の金物に取り付けた後、脱落防止チェーン４をチェーン吊り下げ金具８に固定し、作業台ステップ６上で作業を行う。この場合に、サポート脚７ｂの壁面側端部の間の距離は作業台ステップ６の幅よりも長くなっていることから、サポート脚７ｂの壁面側端部の間の距離が作業台ステップ６の幅と同じ、または短くなっている場合よりも作業台ステップ６が安定する。さらに、図７，図８に示すように、サポート脚部７の長さが調節できるために様々な形状のマンホールで使用することができる。
【００２７】
取り付けフック２の高さ位置を変える場合は、取り付けたい位置の孔３ａに取り付けフック２のねじ２ａを挿入し取り付けフック位置調整ねじ１０をねじ２ａにはめ込む。このとき、支柱３上の取り付けフック２の高さ位置を変えることができる。従って、取り付けフック２と作業台ステップ６との間の距離を変化させることができ、垂直方向下側にさらに足掛け金物が存在する場所であってもその足掛け金物が取り付けの妨げとはならない。この場合、図１０にしめすように、垂直方向下側にさらに足掛け金物が存在する場所でも取り付けることができ作業が行いやすくなる。
【００２８】
サポート脚部７の長さを調整する際には、図４に示すように、調整したい場所にある孔７ｃにサポート脚７ｂのサポート脚固定ねじ７ｄを挿入することでサポート脚固定金具７ａにサポート脚７ｂを固定する。
【００２９】
［第２実施形態］
以下に、本発明の第２実施形態について図面を参照して説明する。図１１は第２実施形態における簡易型作業足場２１の側面図である。図１２は第２実施形態における平面図である。この簡易型作業足場２１は、作業台ステップ６以外の部材については第１実施形態とほぼ同様の構成となっているため、作業台２６について詳細に説明する。
【００３０】
簡易型作業足場２１は、取り付けフック２２と、脱落防止チェーン２４と、支柱２３と、キャリーハンドル２５と、作業台２６と、サポート脚部２７とを有する。支柱２３の一端にはキャリーハンドル２５が固定され、他端には作業台２６とサポート脚部２７が配置されている。また、支柱２３上に取り付けフック２２が装着可能となっており取り付けフック２２には脱落防止チェーン２４が装着されている。
【００３１】
作業台２６は、支柱２３の取り付けフック２２が装着された側と逆側に支柱２３に対して略直交する方向に延びて設けられた部材であって、１方向に伸びた作業台ステップ２６ａと伸縮用作業台ステップ２６ｂとを有する。作業台ステップ２６ａは、ステップ部２６ｃと、ステップ部２６ｃ周囲を構成する外周部２６ｄと、折り返し部２６ｅとを有している。図１３に示すように、ステップ部２６ｃは１方向に伸びた板状の部材であって上面には滑り止めのための凹凸２６ｆが形成されている。外周部２６ｄはステップ部２６ｃの支柱２３が配置されている側面以外の側部から垂直下方向に形成された板状の部分であって、ステップ台２６ｃが伸びる方向と同じ方向に伸びる外周部２６ｄはステップ台２６ｃが伸びる方向と同じ方向に沿って１０個の孔２６ｇが形成されている。孔２６ｇには伸縮用作業台ステップ固定ねじ２６ｌが配置されている。折り返し部２６ｅは、図１４に示すように、外周部２６ｄから内側に折り曲げられた部分である。伸縮用作業台ステップ２６ｂは壁面から遠い場所で作業を行う際に使用する部材であって、伸縮用ステップ部２６ｈと、伸縮用ステップ部２６ｈの周囲を構成する伸縮用外周部２６ｉとを有する。伸縮用ステップ部２６ｈは板状の部材であって表面には滑り止めの凹凸２６ｊが設けられている。伸縮用外周部２６ｉは支柱２３が配置されている側以外の側部が垂直方向下側に折り曲げられた部分である。伸縮用外周部２６ｉは伸縮用ステップ部２６ｈが伸びる方向と同じ方向に沿って１０個の孔２６ｋが形成されている。
【００３２】
第２実施形態においても第１実施形態と同様に支柱２３に取り付けフック２２が装着可能であり、サポート脚部２７の長さを調節することもできる。また、脱落防止チェーン２４の使用方法や簡易型作業足場２１の使用方法も第１実施形態と同様である。
【００３３】
作業台２６の長さを調整する際には、伸縮用作業台ステップ２６ｂを作業台ステップ２６ａからスライドさせ、作業台ステップ２６ａの外周部２６ｄの孔２６ｇの一部と伸縮用作業台ステップ２６ｂの伸縮用外周部２６ｉの孔２６ｋの一部とを重ね合わせ３本の伸縮用作業台ステップ固定ねじ２６ｌによって両方を結合する。このとき、図１５に示すように、径が大きなマンホール内であっても使用できる。
【００３４】
ここでは、マンホール内で簡易型作業足場１、２１を使用する場合について説明したが、これらの簡易型作業足場１、２１は、壁面に足掛け金物が存在する場所なら何処でも使用することができる。
【００３５】
［第３実施形態］
以下に、本発明の第３実施形態について図面を参照して説明する。図１６は第３実施形態における簡易型作業足場３１の側面図である。この簡易型作業足場３１は、支柱３３と作業台ステップ３６とを結合して補強する補強部材３９以外の部材については第１実施形態とほぼ同様の構成となっているため、補強部材３９について詳細に説明する。
【００３６】
簡易型作業足場３１は、取り付けフック３２と、脱落防止チェーン３４と、支柱３３と、キャリーハンドル３５と、作業台ステップ３６と、サポート脚部３７とを有する。支柱３３の一端にはキャリーハンドル３５が固定され、他端には作業台ステップ３６とサポート脚部３７が配置されている。また、支柱３３上に取り付けフック３２が装着可能となっており取り付けフック３２には脱落防止チェーン３４が装着されている。
【００３７】
補強部材３９は、支柱３３と作業台ステップ３６とを結合して補強するための部材であって、板状の部材である。この補強部材３９の一端は支柱上に回転自在に固定され、他端は作業台ステップに連結可能であり、図１７に示す待避位置と、図１６に示すセット位置とを採りうる。
【００３８】
作業台ステップ３６に大きい荷重がかかる場合以外の場合には、図１７に示すように結合部材３９の他端を支柱３３上に固定し、第１実施形態と同様の使用方法で使用することができる。一方、作業台ステップ３６に大きい荷重がかかる場合には、図１６に示すように結合部材３９の他端を作業台ステップ３６上に固定する。このとき、作業台ステップ３６は支柱３３と結合部材３９とによって支持されるため、結合部材３９の他端が支柱上にある場合に比べて強度が高くなり簡易型作業足場３９が壊れにくくなる。
【００３９】
また、図１８に示すように、他の実施形態として第２実施形態のように作業台４６の長さを調整できるようにした簡易型作業足場４１に支柱４３と作業台４６とを結合する結合部材４９を設けることも考えられる。
【図面の簡単な説明】
【００４０】
【図１】本発明の１実施形態における簡易型作業足場１の側面図。
【図２】本発明の１実施形態における簡易型作業足場１の平面図。
【図３】本発明の１実施形態における簡易型作業足場１を垂直方向下側から見た図。
【図４】本発明の１実施形態における簡易型作業足場１の垂直方向下側から見た図。
【図５】本発明の１実施形態における簡易型作業足場１の正面図。
【図６】本発明の１実施形態における簡易型作業足場１の背面図。
【図７】本発明の１実施形態における簡易型作業足場１をマンホールに装着した際の図。
【図８】本発明の１実施形態における簡易型作業足場１を非円形断面のマンホールに装着した際の図。
【図９】本発明の１実施形態における簡易型作業足場１実際に使用しているときの図。
【図１０】垂直方向下側に足掛け金物が存在する場所で簡易型作業足場１を使用している状態を示す図。
【図１１】本発明の２実施形態における簡易型作業足場２１の側面図。
【図１２】本発明の２実施形態における簡易型作業足場２１の平面図。
【図１３】本発明の２実施形態における簡易型作業足場２１を垂直方向下側から見た図。
【図１４】本発明の２実施形態における簡易型作業足場２１の垂直方向下側から見た図。
【図１５】本発明の２実施形態における簡易型作業足場２１を作業台２６の長さを調整してマンホールに装着した際の図。
【図１６】第３実施形態における簡易型作業足場３１の側面図。
【図１７】第３実施形態における簡易型作業足場３１の側面図。
【図１８】他の実施形態における簡易型作業足場４１の側面図。
【符号の説明】
【００４１】
１  簡易型作業足場
２  取り付けフック
３  支柱
４  脱落防止チェーン
５  キャリーハンドル
６  作業台ステップ
７  サポート脚部
８  チェーン吊り下げ金具
９  安定ゴム
１０  取り付けフック位置調整ねじ
２１  簡易型作業足場
２２  取り付けフック
２３  支柱
２４  脱落防止チェーン
２５  キャリーハンドル
２６  作業台
２７  サポート脚部
２８  チェーン吊り下げ金具
２９  安定ゴム
３０  取り付けフック位置調整ねじ